(57)【特許請求の範囲】
【請求項１】
所定単位による単位動画データごとに対応する代表画像を少なくとも配置して形成される単位動画一覧画像を表示させるための制御を実行する一覧画像表示制御手段と、
上記代表画像のうち、動画とすべき代表画像については、上記単位動画一覧画像上で、対応する単位動画データを再生して得た動画像を配置するようにされ、上記動画として指定した以外の代表画像については、上記単位動画一覧画像上で、対応する単位動画を代表するとされる静止画像を配置するようにされた代表画像表示制御手段と、
上記動画として指定する代表画像を、所定の変更規則と変更タイミングに従って順次変更していくようにされる動画変更制御手段と、
を備え、
上記単位動画データは、１つのシーンとしての動画データを区分して得られる部分動画データとされ、
上記動画変更制御手段は、
所定の時間長による単位動画データの再生を完了したタイミングに応じて、シーンにおける上記単位動画データの時系列としての順序規則に従って決まる上記単位動画データの順序に対応させて、上記動画像とすべき代表画像を変更するようにされている、
表示制御装置。
【請求項２】
代表画像表示制御手段は、
上記動画変更制御手段により次に動画とすべき変更先代表画像が、既に上記単位動画一覧画像上において配置されていない状態のときには、上記動画像としての変更先代表画像が上記単位動画一覧画像上において新たに配置された状態が得られるようにして、上記単位動画一覧画像上での代表画像の配置を所定の態様に変更するようにされている、
請求項１に記載の表示制御装置。
【請求項３】
代表画像表示制御手段は、
上記単位動画一覧画像上で、動画とすべき代表画像についての再生が完了すると、再生動画像から静止画像に戻るようにされると同時に、時系列的に次となる上記変更先の代表画像が、静止画像から、対応する再生動画像に切り換わるようにされる、
請求項１に記載の表示制御装置。
【請求項４】
所定単位による単位動画データごとに対応する代表画像を少なくとも配置して形成される単位動画一覧画像を表示させるための制御を実行する一覧画像表示制御手順と、
上記代表画像のうち、動画とすべき代表画像については、上記単位動画一覧画像上で、対応する単位動画データを再生して得た動画像を配置するようにされ、上記動画として指定した以外の代表画像については、上記単位動画一覧画像上で、対応する単位動画を代表するとされる静止画像を配置するようにされた代表画像表示制御手順と、
上記動画として指定する代表画像を、所定の変更規則と変更タイミングに従って順次変更していくようにされる動画変更制御手順と、
を実行し、
上記単位動画データは、１つのシーンとしての動画データを区分して得られる部分動画データとされ、
上記動画変更制御手順は、
所定の時間長による単位動画データの再生を完了したタイミングに応じて、シーンにおける上記単位動画データの時系列としての順序規則に従って決まる上記単位動画データの順序に対応させて、上記動画像とすべき代表画像を変更するようにされている、
表示制御方法。
【請求項５】
所定単位による単位動画データごとに対応する代表画像を少なくとも配置して形成される単位動画一覧画像を表示させるための制御を実行する一覧画像表示制御手順と、
上記代表画像のうち、動画とすべき代表画像については、上記単位動画一覧画像上で、対応する単位動画データを再生して得た動画像を配置するようにされ、上記動画として指定した以外の代表画像については、上記単位動画一覧画像上で、対応する単位動画を代表するとされる静止画像を配置するようにされた代表画像表示制御手順と、
上記動画として指定する代表画像を、所定の変更規則と変更タイミングに従って順次変更していくようにされる動画変更制御手順と、
を表示制御装置に実行させ、
上記単位動画データは、１つのシーンとしての動画データを区分して得られる部分動画データとされ、
上記動画変更制御手順は、
所定の時間長による単位動画データの再生を完了したタイミングに応じて、シーンにおける上記単位動画データの時系列としての順序規則に従って決まる上記単位動画データの順序に対応させて、上記動画像とすべき代表画像を変更するようにされている、
プログラム。
【発明の詳細な説明】
【技術分野】
【０００１】
本発明は、表示デバイスの表示画面部位に対して画像を表示出力させるための表示制御を実行する表示制御装置とその方法に関する。また、このような表示制御装置が実行するプログラムに関する。
【背景技術】
【０００２】
例えば記憶媒体に記憶されている動画像コンテンツについての検索一覧表示を行う手法として、タイトル単位若しくはチャプタ単位に相当するサムネイル画像やアイコンを配列表示させることが、広く行われている。また、このような検索一覧表示は、サムネイル画像などとして表示されたタイトル、チャプタを選択することにより、その選択されたタイトル、チャプタからの再生を開始させるようにされたＧＵＩ(Graphical User Interface)として構成されていることが通常である。
【０００３】
また、例えば、動画撮影が可能な撮像装置では、これまでに撮影記録したシーンにつき１つの代表画像を生成し、これらの代表画像を１画面上に表示させるものが広く知られている。
なお、上記の「シーン」とは、撮像装置による動画記録の開始から終了までに対応して得られる動画像コンテンツの単位を指すものであり、他に「カット」「ショット」などともいわれる。
【０００４】
しかし、上記のような動画像コンテンツの一覧表示では、１つのタイトル、チャプタ、シーンなどの動画単位につき、その動画単位を代表する１フレーム分に相当する、１枚のサムネイル画像としての静止画のみを提示するようにされているのが通常である。このために、各シーンの中身の内容をユーザが把握しにくく、この点で、動画像コンテンツを検索する手法としては決して使い易いものであるとはいえない。一般に、タイトル、チャプタ、シーンなどの動画単位の記録時間長は、数秒程度から数十分、数時間とかなりばらつくが、上記の問題は、これらの動画単位が長尺になるほど顕著になる。
【０００５】
そこで、特許文献１のようにして、動画（タイトル）一覧表示、チャプタ一覧表示などの検索一覧表示を行っている場合において、ユーザ操作に応じて選択された静止画のサムネイル画像を対象として、再生キーの操作が行われた場合には、その選択されたサムネイル画像の領域において、対応する動画像を再生して表示させる構成が提案されている。
このような構成であれば、検索一覧表示において、動画(タイトル)、チャプタの内容を動画により確認できることになり、単に静止画によるサムネイル画像のみにより一覧表示を行う場合よりも、タイトル、チャプタの内容を把握しやすくなる。
【０００６】
【特許文献１】特開２００６−１６５６７９号公報
【発明の開示】
【発明が解決しようとする課題】
【０００７】
本願発明としても、或る単位動画(単位動画データ)についての検索一覧表示に関して、単位動画を代表する画像として動画像を表示させる構成を採ることで、先ず、単位動画の内容把握が容易化されるように配慮する。そのうえで、ユーザにとって、より高い利便性が与えられるような検索一覧表示の態様が得られるようにするものである。
【課題を解決するための手段】
【０００８】
そこで本発明は上記した課題を考慮して、表示制御装置として次のように構成する。
つまり、所定単位による単位動画データごとに対応する代表画像を少なくとも配置して形成される単位動画一覧画像を表示させるための制御を実行する一覧画像表示制御手段と、上記代表画像のうち、動画とすべき代表画像については、上記単位動画一覧画像上で、対応する単位動画データを再生して得た動画像を配置するようにされ、上記動画として指定した以外の代表画像については、上記単位動画一覧画像上で、対応する単位動画を代表するとされる静止画像を配置するようにされた代表画像表示制御手段と、上記動画として指定する代表画像を、所定の変更規則と変更タイミングに従って順次変更していくようにされる動画変更制御手段と、を備え、上記単位動画データは、１つのシーンとしての動画データを区分して得られる部分動画データとされ、上記動画変更制御手段は、所定の時間長による単位動画データの再生を完了したタイミングに応じて、シーンにおける上記単位動画データの時系列としての順序規則に従って決まる上記単位動画データの順序に対応させて、上記動画像とすべき代表画像を変更するようにされていることとした。
【０００９】
上記構成によれば、単位動画一覧画像において配置される代表画像としては、静止画だけではなく、動画も表示させることが可能とされる。そのうえで、動画として表示される代表画像は、所定の変更規則とタイミングに従って、順次変更されていくものとなる。
【発明の効果】
【００１０】
即ち、本願発明によっては、例えばユーザが、動画として表示させたい代表画像を選択して動画として再生させるための操作を逐一行わなくとも、ユーザの感覚に適合させた順序とタイミングにより、自動的に動画として表示される代表画像が変更されていくという動作が得られることになる。このようにして操作を行う手間が省ける分、ユーザにとっては使い易いものとなって利便性が高まることになる。また、動画再生される代表画像が自動的に変わっていくという表示態様が得られることで、検索一覧表示を視るときの娯楽性も高められるということがいえる。
【発明を実施するための最良の形態】
【００１１】
図１は、本願発明を実施するための最良の形態（以下、実施の形態という）としての装置である、ビデオカメラ装置１の構成例を示すブロック図である。
この図において、先ず、光学系部１１は、レンズ光学系、フォーカス機構、ズーム機構、絞り(アイリス)機構などを備えて成り、入射された光を撮像光として撮像部１２が備えるものとされる撮像素子(光電変換素子)の受光面に結像させる。
また、ここでの光学系部１１におけるフォーカス機構、ズーム機構、絞り機構の駆動は、マイクロプロセッサ１７による制御に応じて、カメラ制御部１３が上記各機構に駆動信号を出力するによって行われるものとしている。
【００１２】
撮像部１２は、例えばＣＭＯＳセンサ、ＣＣＤ(Charge Coupled Device)などの撮像素子を備えて成り、上記のようにして受光面にて受光した撮像光についての光電変換を行う。そして、受光面にて受光された撮像光に応じて蓄積された電荷を、例えば、マイクロプロセッサ１７の制御に応じてカメラ制御部１３から出力されるタイミング信号に応じた、しかるべきタイミングで順次出力するようにされる。これにより、所定の画素数サイズによる撮像画像に対応した電気信号を出力する。このようにして出力された信号は、カメラ信号処理部１４に対して入力される。
【００１３】
カメラ信号処理部１４では、上記のようにして撮像部１２から入力される電気信号について、例えばＣＤＳ(Correlated Double Sampling)処理、ＡＧＣ(Automatic Gain Control)処理などの波形成形を行ったうえでデジタル信号に変換し、記録再生処理回路１５に出力する。
【００１４】
記録再生処理回路１５では、カメラ信号処理部１４から出力されたデジタル信号を入力して、記録信号処理を実行する。例えば所定方式による圧縮符号化をはじめとして、所定の動画像記録フォーマットに対応した記録用ビデオ信号データを生成するようにされる。そして、このようにして生成されるビデオ信号データをＨＤＤ１６に書き込んで記録する。この結果、ＨＤＤ１６には、撮像により得られたビデオコンテンツのデータが記憶保存されるようにして管理されることになる。また、撮像装置による撮影記録の開始から終了までの間に得られた動画像は、シーン（あるいはカット、ショット）などともいわれるが、上記のようにしてＨＤＤ１６に記録されるビデオコンテンツとしても、このシーン単位により管理される。即ち、原則としては、シーン単位のビデオコンテンツのデータが所定形式の動画像ファイルとしてファイルシステムにより管理される。ただし、１シーンの記録時間が非常に長尺になって、１動画ファイルにおける最大データ量、若しくは最大時間を越えた場合には、複数の動画像ファイルに分割して、これら複数の動画像ファイルを１シーン相当のビデオコンテンツとして管理するようにされる。
【００１５】
また、記録再生処理回路１５は、撮影記録モード時においては表示部２０に対してスルー画を表示させるための処理も実行するようにされる。スルー画とは、そのときに光学系部１１により撮像しているとされる画像のことをいうもので、ユーザは、表示部２０に表示されるスルー画を見ることで撮影されている画内容を確認することができる。このスルー画表示のためには、記録再生処理回路１５は、カメラ信号処理部１４から入力したデジタル信号を利用して、表示部２０による画像表示に適合した解像などを有するスルー画用のビデオ信号を生成し、このスルー画用ビデオ信号を重畳処理部１９を介して表示部２０に対して出力する。
【００１６】
また、記録再生処理回路１５は、ＨＤＤ１６に記憶保存されたビデオコンテンツのデータを読み出して、記録信号処理に対応した復号処理などを実行して動画像としてのビデオ信号を再生することも可能とされる。このようにして再生されたビデオ信号は、例えばマイクロプロセッサ１７の制御に応じて、重畳処理部１９を介して表示部２０に対して出力することで、この表示部２０にて画像として表示させることができるようになっている。
なお、実際のビデオコンテンツとしては、ビデオ信号とともに、少なくとも、このビデオ信号とリップシンクするようにして再生されるべきオーディオ信号も含む構造を有するものであるが、ここでは、説明を簡単なものとすることの便宜上、このオーディオ信号についての記録再生処理についての構成の図示及び説明は省略する。
【００１７】
マイクロプロセッサ１７は、例えばＣＰＵ、ＲＯＭ、ＲＡＭなどを有して構成されるもので、例えば内部のＲＯＭに記憶されるプログラムを実行することにより、ビデオカメラ装置１における各種の制御を実行する。これにより、ビデオカメラ装置１としての各種の動作が得られることとなる。
【００１８】
ＯＳＤ(On Screen Display)処理部１８及び重畳処理部１９は、表示部２０に対して、そのときのビデオカメラ装置１の動作に応じた各種のＧＵＩ(Graphical User Interface)としての画像を表示させるために備えられる。
ＧＵＩ画像を表示させるべきとき、マイクロプロセッサ１７は、ＯＳＤ(On Screen Display)処理部１８により、そのＧＵＩ画像としての画内容を有する表示用ビデオ信号（表示用画像データ）を生成させ、この表示用ビデオ信号を重畳処理部１９に対して出力させる。重畳処理部１９では、ＯＳＤ処理部１８から出力される表示用ビデオ信号を表示部２０に出力するが、この際、そのＧＵＩ画像が、例えばスルー画や再生画像上に重畳させるべきものである場合には、記録再生処理回路１５から入力されてくるスルー画や再生画像などのビデオ信号に、ＧＵＩ画像の表示用ビデオ信号を重畳、合成し、この合成後のビデオ信号を表示部２０に出力するようにされる。
【００１９】
操作部２１は、ビデオカメラ装置１本体に備えられるハードウェアキー、ボタンなどの各種操作子と、この操作子に対する操作に応じた操作信号をマイクロプロセッサ１７に出力する操作信号出力部位を一括して示しているものとされる。例えば、この操作部２１における操作子としては、写真撮影時に操作されるシャッターボタン、撮影モードなどを選択する操作子、パラメータのアップ／ダウンを行うための操作子などが含まれる。また、特にこの図においては、操作部２１を成す操作子として、ホームキー２１ａ、及びフィルムロールキー２１ｂが示されている。ホームキー２１ａを操作することによっては、ホームメニューといわれる大元のメニュー画面としてのＧＵＩ画像を表示部２０に表示させることができる。また、フィルムロールキー２１ｂを操作することによっては、後述するフィルムロールインデックス画面としてのＧＵＩ画像を表示部２０に表示させることができる。
【００２０】
また、本実施の形態のビデオカメラ装置１では、上記操作部２１としてのキー、ボタンのほかに、操作入力部として、タッチパネル２１Ａを備える。このタッチパネル２１Ａは、実際においては、表示部２０の表示画面と一体化される態様で設けられる。即ち、本実施の形態のビデオカメラ装置１では、ＧＵＩ画像が表示された表示部２０の画面上に対して直接指を振れるなどの操作が可能なＧＵＩを提供するものである。なお、ＧＵＩの内容によっては、表示部２０に表示されるＧＵＩ画像に対する操作が、操作部２１における所定のキー、ボタンに対する操作により行われるようにされてもよいものである。
【００２１】
上記の構成から分かるように、ビデオカメラ装置１では、ＨＤＤ１６に対して、撮像記録により得たビデオコンテンツを記憶保存させることが可能とされている。ここでＨＤＤは、ランダムアクセスが可能なもののうち、現状においてはＧＢ（ギガバイト）クラスでの大容量を技術的、コスト的に容易に実現できる記憶媒体の１つであり、従って、圧縮符号化データを主体とするビデオコンテンツデータとしても多数を記憶保存することが可能となる。
このようにして多数のビデオコンテンツが記憶可能であることを考慮すると、ビデオカメラの機能として、記憶保存されたビデオコンテンツに関する一覧表示機能を与えて、その検索性が高められるようにすることが、ユーザにとっての利便性向上などを求めた場合には好ましくなってくる。そこで、本実施の形態のビデオカメラ装置１も、ＧＵＩの一機能として、このようなビデオコンテンツに関しての一覧・検索表示機能を実装するものである。つまり、ビデオカメラ装置１は、表示部２０の表示画面上に対して、ＨＤＤ１６に記憶保存されたビデオコンテンツを対象として、一覧・検索を行うことのできるＧＵＩ画像を表示するものである。また、ランダムアクセスが可能な記憶媒体に対応しては、このような一覧・検索画像上でのコンテンツの再生操作を行えるようにされたものが一般的であるが、本実施の形態としても、一覧・検索画面上でのコンテンツの再生操作が可能なようにされる。
【００２２】
図２により、本実施の形態のビデオカメラ装置１における一覧・検索画面の表示に関連した操作態様例について説明する。
ここで、例えば本実施の形態のビデオカメラ装置１が撮影待機モードにあるとする。撮影待機モード下では、ビデオカメラ装置１は、図２（ａ）に示すようにして、表示部２０の表示画面部２０Ａ上にて、そのときに光学系部１１により撮影しているとされる画像であるいわゆるスルー画を表示させる動作を実行しながら、撮影記録開始操作を待機している状態にある。そして、例えばこの状態の下で撮影記録の開始を指示する操作（撮影開始操作）が行われたとすれば、その操作タイミング以降において撮影記録が開始される。この撮影記録は、撮影記録の終了を指示する撮影終了操作が行われるまで実行される。なお、確認のために述べておくと、前述もしたように、本実施の形態のＨＤＤ１６に記憶保存される１単位のビデオコンテンツは、原則、上記の撮影開始操作から撮影終了操作までに対応する撮影記録により得られる動画像データ（ファイル）の単位に相当するものであって、この単位は、映像内容としては、シーン、カット、ショットなどともいわれるものとなる。なお、本実施の形態では、この単位名称については、以降、「シーン」で統一する。
【００２３】
ここで、本実施の形態のビデオカメラ装置１により表示するスルー画の画像内においては、図２（ａ）に示されているようにして、画面内ホームボタンＢｔ１が表示されるようになっている。なお、この場合には画面内ホームボタンＢｔ１の画像を、表示画面部２０Ａにおける左上に位置させているが、他の位置において表示させるようにして構わない。
上記のホームボタンＢｔ１は、ホームメニューの画面に移行させる操作を行うためのボタンとして機能する。ユーザが、タッチパネル２１Ａに対する操作として、このスルー画面上におけるホームボタンＢｔ１の表示位置に触れる操作を行ったとされると、図２（ａ）から図２（ｂ）への遷移として示すようにして、表示画面部２０Ａは、これまでのスルー画表示から、ホームメニューの画面表示に移行することになる。
【００２４】
また、先に図１にて説明したように、本実施の形態のビデオカメラ装置１の本体には、ハードウェアの操作子の１つとして、ホームキー（ハードウェアホームキー）２１ａが設けられている。このホームキー２１ａを操作することによっても、同じく、図２（ａ）から図２（ｂ）への遷移として示すようにして、表示画面部２０Ａは、これまでのスルー画表示から、ホームメニューの画面表示に移行することができる。
【００２５】
図２（ｂ）に示されるホームメニューは、タッチパネル操作が可能とされるＧＵＩとしてのメニュー画面のうちで、その大元となるものである。従って、このホームメニューから操作を始めてしかるべきメニュー画面へと辿っていくようにすることで、ユーザは、ビデオカメラ装置１についての各種多様な操作を行うことが可能とされる。
【００２６】
ここでは、図２（ｂ）のホームメニューの画面において、ボタン画像として、先ず、クローズボタンＢｔ２が表示されている。
このクローズボタンＢｔ２に対するタッチパネル上での押し操作（タッチパネル押操作）を行った場合には、現在表示中のホームメニュー画面が閉じられて、今回のホームメニュー画面の表示前に表示されていた画面に戻るようにされる。この場合には、図２（ｂ）から図２（ａ）への遷移として示すように、撮影待機モード下でのスルー画表示に切り換わる。
【００２７】
また、ホームメニュー画面においては、さらに、通常インデックスボタンＢｔ１１、フィルムロールインデックスボタンＢｔ１２、プレイリストボタンＢｔ１３が表示されている。
通常インデックスボタンＢｔ１１に対するタッチパネル押操作を行った場合には、ここでは図示していないが、表示画面部２０Ａにおいて、この図２（ｂ）のホームメニュー画面から、通常インデックス画像の表示に移行する。また、フィルムロールインデックスボタンＢｔ１２に対するタッチパネル押操作を行った場合には、図２（ｂ）から図２（ｃ）への遷移へと示すようにして、フィルムロールインデックス画面の表示に移行する。
また、本実施の形態では、ビデオカメラ装置１の本体に対して、ハードウェアキーのひとつであるフィルムロールキー２１ｂが設けられている。本実施の形態では、フィルムロールインデックス画面以外の他の何らかの表示を行っている状態の下で、このフィルムロールキー２１ｂを操作することによっても、フィルムロールインデックス画面への表示の切り換えが行われるようになっている。図２においては、フィルムロールキー２１ｂの操作に応じて、図２（ａ）のスルー画、図２（ｂ）のホームメニュー画面、あるいは図２（ｄ）のシーン再生画面からフィルムロールインデックス画面に移行できることを示している。これにより、後述するようにして本実施の形態において特徴となるフィルムロールインデックス画面への表示切り換えを、例えばタッチパネル操作により行うような場合よりも、直接的に、迅速に行える。
また、プレイリストボタンＢｔ１１に対する操作を行った場合には、ここでは図示していないが、表示画面部２０Ａにおいて、プレイリスト画面に表示が切り換わることになる。プレイリスト画面は、例えばＨＤＤ１６に記憶されているビデオコンテンツについての、ユーザが作成したプレイリストを提示する画面とされる。
【００２８】
上記の説明において挙げられた「通常インデックス画面」と「フィルムロールインデックス画面」は、本実施の形態のビデオカメラ装置１において表示可能なビデオコンテンツの一覧・検索画面とされる。
先ず「通常インデックス画面」は、その表示態様例についての図示は省略するが、ＨＤＤ１６に記憶保存されているビデオコンテンツ（動画像ファイル）について、これらをビデオコンテンツ単位主体で提示するようにされた表示態様の一覧・検索画面をいう。この「通常インデックス画面」では、１つのビデオコンテンツ（シーン）につき１つのサムネイル画像が対応するようにされ、これらのサムネイル画像が、予め設定されたソート順に従って配列表示される。つまり、シーンのリストを、シーンごとに対応したサムネイル画像により示すようにされる。そして、例えば、ユーザが通常インデックス画面に表示されているサムネイル画像のうちから、或る１つのものを選択決定するための所定操作を行ったとされると、ビデオカメラ装置１は、この選択決定されたサムネイル画像が対応するビデオコンテンツの再生を開始するようにされる。
【００２９】
これに対して、図２（ｃ）に示される「フィルムロールインデックス画面」は、詳細については後述するが、ＨＤＤ１６に記憶保存されているビデオコンテンツのうちから選択した１つのビデオコンテンツについて、そのシーンにおける内容を、再生時間経過に応じて或る時間タイミングから抜き出すようにして抽出した画像内容を持つサムネイル画像の配列によって示すようにされる。フィルムロールインデックス画面における「フィルムロール」との名称は、１つのシーンを１つのフィルムロールと捉えたうえで、上記のサムネイル画像の表示態様が、あたかも、このフィルムロールを拡げてコマの内容を見ているイメージと重なることに由来する。
そして、このフィルムロールインデックス画面において表示されているサムネイル画像のうちから、或る１つのものを選択決定するための所定操作を行ったとされると、ビデオカメラ装置１は、この選択決定されたサムネイル画像が対応する再生時間から、そのビデオコンテンツの再生を開始する。つまり、１つのビデオコンテンツにおける中途位置からの再生を開始させることができる。
【００３０】
上記したことによれば、上記「通常インデックス画面」、「フィルムロールインデックス画面」としての一覧・検索画面において配列されるサムネイル画像（代表画像）は、前者にあっては、ＨＤＤ１６に記録されるビデオコンテンツの単位に対応した索引、見出しであると捉えることができ、後者にあっては、１ビデオコンテンツ（１シーン）としての開始時間から終了時間までの間において設定した再生時間位置ごとに対応した索引、見出しであると捉えることができる。上記２つの一覧・検索画面の名称全体における「インデックス画面」との名称部分は、索引、見出しを提示する画面であるということに由来したものである。また、以降においては、インデックス画面上において、個々の索引、見出しとして機能するサムネイル画像（代表画像）については、インデックス画像ともいうことにする。
【００３１】
次に、図３を参照して、表示画面部２０Ａにおいて表示されるフィルムロールインデックス画面の表示態様例と、その機能動作例について説明しておくこととする。この図３に示されるフィルムロールインデックス画面は、例えば図２（ｃ）に示される内容を拡大したものとされる。
先ず、このフィルムロールインデックス画面内の領域は、大きくは、シーン単位インデックス領域ＡＲ１、シーン内インデックス領域ＡＲ２から成るものとされる。
シーン単位インデックス領域ＡＲ１においては、ＨＤＤ１６に記憶保存されているビデオコンテンツ（シーン）単位に対応したインデックス画像（サムネイル画像：静止画）であるシーン単位インデックス画像が、縦方向に沿って、所定のソート順に従って配列されるようにして表示される。この場合には、シーン単位インデックス領域ＡＲ１においては、３つのシーン単位インデックス画像（Ｐ１、Ｐ２、Ｐ３）が表示されることとなっており、そのうえで、中央に位置させたシーン単位インデックス画像Ｐ２が、選択中にあるシーン（ビデオコンテンツ）を示しているものとされる。選択すべき（中央に位置させるべき）シーン単位インデックス画像、即ちビデオコンテンツ（シーン）を他のものに変更するときには、送りボタンＢｔ３１と戻しボタンＢｔ３２に対して適宜タッチパネル押操作を行うようにされる。この送りボタンＢｔ３１、戻しボタンＢｔ３２に対する操作ごとに、シーン単位インデックス画像が１つずつ、順次、上方向あるいは下方向にスクロールされ、これに応じて、中央に位置するシーン単位インデックス画像が切り換わっていく。また、シーン単位インデックス領域ＡＲ１においては、シーン単位インデックス画像が配列される領域の左側に沿ってスクロールバーＢｒ１が表示される。このスクロールバーＢｒ１におけるノブの位置により、現在、シーン単位インデックス領域ＡＲ１において表示されているシーン単位インデックス画像が、全体においてどのあたりの順序にあるものなのかが示される。また、ノブに対するタッチパネル上でのドラッグ操作をスクロールバーＢｒ１に沿って行うことで、送りボタンＢｔ３１、戻しボタンＢｔ３２を操作する場合よりも、大きな単位移動量でもってシーン単位インデックス画像をスクロールさせることができる。
【００３２】
次に、シーン内インデックス領域ＡＲ２においては、上記シーン単位インデックス領域ＡＲ１において選択されているシーン（選択シーン）、即ち、シーン単位インデックス領域ＡＲ１において中央に配置されるシーン単位インデックス画像Ｐ２が対応するシーン（ビデオコンテンツ）についての、その内容が下記のようにして表示される。
この場合のシーン内インデックス領域ＡＲ２においては、シーン内インデックス領域ＡＲ２を３つの行領域clm1、clm2、clm3に分割するようにしたうえで、先ず、行領域clm1において左から右にかけて順に、インデックス画像貼付領域Ｆ１、Ｆ２、Ｆ３を配置することとし、次の行領域clm2において左から右にかけて順に、インデックス画像貼付領域Ｆ４、Ｆ５、Ｆ６、Ｆ７を配置し、さらに次の行領域clm3において左から右にかけて順に、インデックス画像貼付領域Ｆ８、Ｆ９、Ｆ１０を配置することとしている。これらインデックス画像貼付領域Ｆ１〜Ｆ１０は、それぞれ、シーン内インデックス画像が貼り付けられるようにして表示される領域とされる。そして、インデックス画像貼付領域Ｆ１〜Ｆ１０の配列順は、選択シーンの再生時間進行（再生時間経過：時系列）に対応したものとなっている。
この場合、インデックス画像貼付領域Ｆ１〜Ｆ１０には、それぞれ、シーン内インデックス画像Ｐ１０１〜Ｐ１１０が貼り付けられて表示されている。これらのシーン内インデックス画像Ｐ１０１〜Ｐ１１０は、選択シーンの再生時間進行に従って、所定の時間間隔ごとに対応して表示されることとなる画像内容を、その選択シーンから抽出するようにして生成したサムネイル画像である。そして、インデックス画像貼付領域Ｆ１〜Ｆ１０が上記のようにして選択シーンの再生時間進行に対応していることにより、シーン内インデックス画像Ｐ１０１〜Ｐ１１０の順で、選択シーンの再生時間進行に沿うこととなる。
なお、以降においては、インデックス画像貼付領域Ｆ１〜Ｆ１０について、その配列順に従って、第１インデックス画像貼付領域Ｆ１〜第１０インデックス画像貼付領域Ｆ１０ともいうことにする。
【００３３】
また、行領域clm1における第１インデックス画像貼付領域Ｆ１の左側には、送りボタンＢｔ４１が配置され、行領域clm3における第１０インデックス画像貼付領域Ｆ１０の右側には、戻しボタンＢｔ４２が配置されている。シーンの時間長にもよるがシーン内インデックス領域ＡＲ２において表示されるインデックス画像は、通常、そのシーンにて得られるシーン内インデックス画像のうちの一部の再生区間にて得られるものが表示されている。これら送りボタンＢｔ４１、戻しボタンＢｔ４２に対してタッチパネル押操作を行うことで、シーン再生時間を先へ進める、あるいは遡るようにして、インデックス画像貼付領域Ｆ１〜Ｆ１０に貼付表示されるシーン内インデックス画像を１つずつ送る、あるいは戻していくという態様でのスクロールを行うことができる。
また、シーン内インデックス領域ＡＲ２の下側においては、横方向に延びるスクロールバーＢｒ２が配置されている。このスクロールバーＢｒ２のノブをドラッグ操作することにより、送りボタンＢｔ３１、戻しボタンＢｔ３２を操作する場合よりも、大きな単位移動量でもってインデックス画像貼付領域Ｆ１〜Ｆ１０に貼付表示されるシーン内インデックス画像を送り・戻しさせることができる。
【００３４】
上記の説明から理解されるようにして、シーン内インデックス領域ＡＲ２においては、選択シーン内の或る場面に対応する画内容を持つシーン内インデックス画像が、シーン内容の時系列に沿うようにして配列表示される。この表示を見ることで、ユーザは、選択シーンの中の画像内容を容易に把握することが可能になる。
【００３５】
また、フィルムロールインデックス画面においては、クローズボタンＢｔ２と、関連機能ボタンＢｔ３が配置されている。
クローズボタンＢｔ２をタッチパネル押操作することによっては、これまでのフィルムロールインデックス画面の表示を消去して、フィルムロールインデックス画面の表示前の状態に戻すようにされる。例えば、ホームメニュー画面から今回のフィルムロールインデックス画面の表示に切り換わったのであれば、ホームメニュー画面に戻ることになる。
関連機能ボタンＢｔ３は、そのときに表示されている画面に関連した設定項目、メニュー画面などにジャンプさせるための操作を行うボタンである。フィルムロールインデックス画面が表示されている下で関連機能ボタンＢｔ３を操作した場合には、例えば、図９により後述するようにして、フィルムロールインデックス画面に関連した所定項目についての設定を行うための操作画面（関連メニュー画面）に移行することになる。
【００３６】
そして、例えばユーザが、シーン内インデックス領域ＡＲ２に表示されているシーン内インデックス画像の１つに対するタッチパネル押操作（選択決定操作）を行ったとされると、ビデオカメラ装置１は、選択シーンについて、今回の選択決定操作により指定されたシーン内インデックス画像が対応する再生時間からの中途再生を開始するようにされる。これに伴って、表示画面部２０Ａにおいては、図２（ｃ）から図２（ｄ）への遷移として示すようにして、選択シーンを再生表示する画内容のシーン再生画面に切り換わることになる。また、確認のために述べておくと、図２（ｄ）の再生画面に切り換わったときには、今回の選択決定操作により指定されたシーン内インデックス画像と同じ内容の画からの再生表示が始まるものである。
【００３７】
図２（ｄ）に示されるシーン再生画面上には、ソフトウェアボタンとして、戻るボタンＢｔ１４、シーン単位送りボタンＢｔ２５、シーン単位戻しボタンＢｔ２６、再生開始／一時停止ボタンＢｔ２１、停止ボタンＢｔ２２、早送りボタンＢｔ２３、早戻しボタンＢｔ２４、関連機能ボタンＢｔ３が表示されている。ユーザは、シーン単位送りボタンＢｔ２５、シーン単位戻しボタンＢｔ２６、再生開始／一時停止ボタンＢｔ２１、停止ボタンＢｔ２２、早送りボタンＢｔ２３、早戻しボタンＢｔ２４に対するタッチパネル押操作により、シーン（ビデオコンテンツ）について、ユーザの意図するようにして再生を行わせることができる。
また、戻るボタンＢｔ１４を操作すれば、今回のシーン再生画面の表示に移行する前に表示されていた画面に戻るようにされる。先の説明のようにして、図２（ｃ）のフィルムロールインデックス画面からシーン再生画面に切り換わったのであれば、フィルムロールインデックス画面に戻るようにされる。
また、シーン再生画面上に配置表示されている関連機能ボタンＢｔ３に対する操作を行った場合、図示は省略するが、シーン再生に関連した所定の設定項目、メニューなどが表示された操作画面に移行するようにされる。
【００３８】
上記のようにして、本実施の形態のビデオカメラ装置１は、表示画面部２０Ａに対して、スルー画、メニュー画面、シーン再生画面などのほか、インデックス画面として、フィルムロールインデックス画面の表示が行えるようにされている。
このフィルムロールインデックス画面においては、先に図３により説明したように、第１〜第１０インデックス画像貼付領域Ｆ１〜Ｆ１０に対して、選択シーンから抽出したとされるシーン内インデックス画像が、時系列に沿うようにして貼付表示される。本実施の形態におけるシーン内インデックス画像は、基本的には、選択シーンにおける或る再生時間から抜き出した（抽出した）静止画像とされる。そこで、静止画像としてのシーン内インデックス画像を、選択シーンから抜き出す時間タイミングをどのようにして決定しているのかについて、図４を参照して説明しておくこととする。
【００３９】
先ず図４（ａ）には、選択シーンとしての動画像のストリームデータ（ビデオストリーム）を再生時間経過に沿ったバー形式により模式的に示している。このビデオストリームとしてのバーの左端が、選択シーンとしてのビデオコンテンツの再生開始時間であり、以降、右方向に延びていくのに従い再生時間が経過していくことが表現される。
図４（ｂ）には、図３において、第１〜第１０インデックス画像貼付領域Ｆ１〜Ｆ１０に表示されるシーン内インデックス画像Ｐ１０１〜Ｐ１１０を、ビデオストリームから抜き出したとされる再生時間タイミングとの対応により示している。
なお、図４（ｃ）は、シーン内インデックス画像として動画再生を行う場合の再生シーケンスを模式的に示したものであるが、これについては後述する。
【００４０】
この場合においては、先ず、選択シーンの再生開始時間である時点ｔ０において、ビデオストリームの先頭フレームに相当する静止画内容を抽出し、これを、一番目のシーン内インデックス画像Ｐ１０１として生成している。なお、ここでは、シーン単位インデックス領域ＡＲ１に配置されるシーン単位インデックス画像についても、対応するシーンのビデオストリームの先頭フレーム画像から生成するものとしており、図４（ｂ）においては、再生開始時間において、シーン内インデックス画像Ｐ１０１とともに、シーン単位インデックス画像Ｐ２も生成していることが示されている。
【００４１】
そして、本実施の形態としては、予め抽出時間間隔Ｔｍを設定しておくようにされる。これにより、シーン内インデックス画像Ｐ１０１に続く２番目のシーン内インデックス画像Ｐ１０２を抜き出すべき再生時間（抽出再生時間）は、図示するようにして、時点ｔ０から抽出時間間隔Ｔｍが経過した時点となる。以降、同様にして、抽出時間間隔Ｔｍが経過する時点ごとが、シーン内インデックス画像Ｐ１０３〜Ｐ１１０を抽出すべき再生時間として決定される。なお、図においては、図面のサイズの都合上、シーン内インデックス画像Ｐ１０７までが示されている。
また、図４（ａ）（ｂ）により説明したシーン内インデックス画像を抽出すべき再生時間（抽出再生時間）の決定の仕方は、最も順当で簡易な例を挙げているものであり、これ以外の規則による抽出再生時間の決定が行われてもよいものである。
【００４２】
上記のようにしてシーン内インデックス画像の抽出再生時間を決定するものとした場合、シーン内インデックス画像Ｐ１０１、Ｐ１０２のそれぞれは、選択シーンのビデオストリームを抽出時間間隔Ｔｍごとに分割して得られるビデオストリームの区間部分（部分動画データ）である、シーン内分割区間Is1、Is2・・・における先頭の画像内容を示しているということがいえる。即ち、シーン内インデックス画像は、シーン内分割区間に対応する代表画像である、ということがいえる。
【００４３】
これまでに述べてきたように、本実施の形態のフィルムロールインデックス画面において配列表示されるシーン内インデックス画像のそれぞれは、基本的には静止画であるものとされる。しかし、シーン内分割区間というものが、或る再生時間長を有する動画であることを考えると、対応するシーン内分割区間の冒頭を静止画により示すシーン内インデックス画像では、そのシーン内分割区間の内容をユーザが把握しにくい場合も出てくると考えられる。例えば、前後のシーン内分割区間で同じような場面を撮影していた場合には、そのシーン内インデックス画像も似たような内容となって、ユーザにとっては区別が付きにくくなる。
そこで、本実施の形態としては、フィルムロールインデックス画面において、シーン内インデックス画像を動画により表示させるようにして、そのシーン内分割区間の内容をより的確に把握できるようにする。そのうえでさらに、シーン内インデックス画像を動画として表示させるのにあたり、これまでには無かったとされる態様を与えることで、例えば、ユーザにとってより使い勝手が良くなるように配慮するものである。以降、この点について説明を行っていく。
【００４４】
ここで、例えば先に図２にて説明したようにして、撮影モード時であるとかホームメニュー画面の表示時などにおいて、フィルムロールインデックス画面を表示させるための所定操作をユーザが行ったことに応じて、図２（ｃ）に示したフィルムロールインデックス画面の表示が開始されたとする。
この表示開始時における、フィルムロールインデックス画面内のシーン内インデックス領域ＡＲ２の表示態様例は、図５（ａ）に示されるものとなる。この場合のシーン内インデックス領域ＡＲ２においては、先にも述べたようにして、第１〜第１０インデックス画像貼付領域Ｆ１〜Ｆ１０のそれぞれにおいて、シーン内インデックス画像Ｐ１０１〜Ｐ１１０が貼付表示されるのであるが、これらのシーン内インデックス画像のうち、第１インデックス画像貼付領域Ｆ１に配置されるシーン内インデックス画像Ｐ１０１については、これが代表するシーン内分割区間Is1（図４参照）について、その先頭位置（ビデオストリームの再生開始時間に一致する）から動画として再生している画像（インデックス動画像）が表示される。また、このときには残る第２〜第１０インデックス画像貼付領域Ｆ１〜Ｆ１０に貼付表示されているシーン内インデックス画像Ｐ１０２〜Ｐ１１０は、それぞれ、図４（ｂ）により説明したようにして抽出した静止画像（インデックス静止画像）が表示される。なお、図５（及び後述する図６）において、第１〜第１０インデックス画像貼付領域Ｆ１〜Ｆ１０の右下に表示される「Ｖ」は、そこにインデックス動画像を表示させている状態にあることを、「Ｓ」は、インデックス静止画像を表示させていることを、それぞれ便宜的に示しているものであり、例えば実際において、これらの文字が表示されることを意味するものではない。
【００４５】
上記のようにして、フィルムロールインデックス画面の表示開始と同時にシーン内インデックス画像Ｐ１０１としての動画再生が行われるのであるが、この動画再生は、図４（ｃ）における動画再生シーケンスとして示しているように、予め設定された所定の再生時間Ｔｐを経過した時点で終了するようにされる。各シーン内インデックス画像が対応するシーン内分割区間の再生時間長は抽出時間間隔Ｔｍだけあることになるが、この図の場合のようにして、Ｔｐ＜Ｔｍの関係が成り立つときには、再生時間Ｔｐを経過した時点で動画再生が停止され、シーン内分割区間における残りの部分についての再生は行わないようにされる。なお、図示はしていないが、Ｔｐ≧Ｔｍの関係が成り立つ場合には、そのシーン内分割区間の動画再生を最後まで行って終了することになる。
上記のようにしてシーン内インデックス画像Ｐ１０１についての動画再生を終了したとすると、図５（ｂ）に示されるようにして、先ず、シーン内インデックス画像Ｐ１０１は、静止画像の表示に遷移するようにされる。このときに表示させる静止画像は、シーン内分割区間Is1の先頭から抽出して得たとされる画像を用いるようにされる。なお、動画再生された最後の画像を、シーン内インデックス画像Ｐ１０１の静止画像として表示させることも考えられる。前者と後者の何れの画像を、シーン内インデックス画像における動画再生後の静止画とするのかは、例えば実際における使い勝手の良さであるとか、表示制御アルゴリズムの都合などに応じて任意に選択すればよい。
これと同時に、シーン内インデックス画像Ｐ１０１に対して時系列的に次となるシーン内インデックス画像Ｐ１０２が、これまでの静止画像から、対応するシーン内分割区間Is2の再生動画像に切り換わるようにされる。この動画再生も、シーン内分割区間Is2の先頭から開始されるものである。
【００４６】
そして、シーン内インデックス画像Ｐ１０２としての動画再生が再生時間Ｔｐを経過したとされると、このシーン内インデックス画像Ｐ１０２は静止画表示に戻り、これと同時に、シーン内インデックス画像Ｐ１０３が、シーン内分割区間Is3の再生動画像に切り換わることになる。このシーン内分割区間Is3の動画再生も、その開始位置から再生時間Ｔｐだけ行われるものとなる。
以降、同様にして、再生時間Tｐ分の再生動画の表示を終了したシーン内インデックス画像がもとの静止画像に戻るようにされると同時に、時系列的に次となるシーン内インデックス画像が、静止画像から、対応するシーン内分割区間についての先頭から再生時間Tｐ分を経過した位置までの再生動画像に切り換わるようにされる。このような表示の遷移が、シーン内インデックス画像の時系列に従って、順次行われていくようにされる。
【００４７】
上記のようにして、本実施の形態では、フィルムロールインデックス画面の表示開始と共に、シーン内分割区間を代表するシーン内インデックス画像について、その時系列に従った順序で、所定時間（Ｔｐ）ずつ、シーン内分割区間の動画像を表示させていく。
このような表示が行われることで、先ずは、フィルムロールインデックス画面上において、シーン内分割区間ごとの一部動画内容が、選択シーンの時系列に沿うようにして、順次、表示されていくことになる。これにより、ユーザは、シーン内分割区間ごとの内容把握が容易になるだけではなく、選択シーン全体の内容の大まかな流れも把握することが可能になる。また、本実施の形態の場合には、フィルムロールインデックス画面を表示させることに応じて、自動的に、選択シーンの時系列に沿って、シーン内インデックス画像としての動画表示が切り換わっていくようにされることから、例えば、動画として表示させるためのシーン内インデックス画像の選択操作であるとか、シーン内インデックス画像の動画再生を開始させるための操作などは不要となる。また、自動的にシーン内インデックス画像としての動画表示が切り換わっていくという態様は、見ていて楽しいものであり、娯楽性が高まることにもつながる。
なお、確認のために述べておくと、特許文献１においては、シーン(動画)あるいはチャプタのインデックス一覧表示におけるサムネイル画像の１つを動画として再生する技術が開示されているが、動画として再生するサムネイル画像の変更は、自動で行われるものではなく、あくまでもユーザ操作に応じて行われるべきものとされている点で、本実施の形態(本願発明)とは異なるものである。また、特許文献１における動画のスキップ再生は、あくまでも１つのサムネイル画像の動画再生において行われるものであり、本実施の形態のようにして、再生時間ｔｐ分を再生しながら動画再生されるシーン内インデックス画像を変更していくという態様とは異なるものである。
【００４８】
また、上記図５により説明したようにして、動画が表示されるシーン内インデックス画像が切り換わっていくことによっては、図６（ａ）に示すようにして、最後のインデックス画像貼付領域Ｆ１０に表示されるシーン内インデックス画像Ｐ１１０が動画となる状況に至ることとなる。そして、この場合の選択シーンについて、シーン内インデックス画像Ｐ１１０の後にも、これに続くシーン内インデックス画像（シーン内分割区間）が在るとされる場合には、次のようにして、表示を行っていくものとされる。
【００４９】
先に述べたようにして、インデックス領域ＡＲ２における送りボタンＢｔ４１、戻しボタンＢｔ４２を操作することで、インデックス画像貼付領域Ｆ１〜Ｆ１０に貼付表示されるシーン内インデックス画像を、シーン再生時間に沿った送り方向と戻り方向とでスクロールさせることが可能とされている。このことは、インデックス画像貼付領域Ｆ１〜Ｆ１０に貼付表示されるシーン内インデックス画像についてスクロールさせる表示制御が可能であることを意味している。
なお、このシーン内インデックス画像についてのスクロールとして、送り方向（シーン再生時間を先へ進める方向）に対応するスクロールの表示態様は、図７に示すものとなる。つまり、これまでインデックス画像貼付領域Ｆ２〜Ｆ１０に表示されていたシーン内インデックス画像が、シーン内インデックス画像Ｆ１〜Ｆ９にて表示されるようにして移動配置を行い、これまでインデックス画像貼付領域Ｆ１に表示されていたインデックス画像については消去する。また、インデックス画像貼付領域Ｆ１０には、インデックス画像貼付領域Ｆ９に移動配置されたシーン内インデックス画像に対して時系列的に次となるシーン内インデックス画像を新たに表示させるものである。また、戻り方向のスクロールは、これとは逆の方向にシーン内インデックス画像を移動配置させると共に、これまでインデックス画像貼付領域Ｆ１０に表示されていたインデックス画像については消去し、インデックス画像貼付領域Ｆ１には、インデックス画像貼付領域Ｆ２に移動配置されたシーン内インデックス画像に対して時系列的に１つ前となるシーン内インデックス画像を新たに表示させることになる。
【００５０】
そして、例えば図６（ａ）に示す状態となって、シーン内インデックス画像Ｐ１１０としての動画再生が再生時間Ｔｐを経過して終了したとされる直後のタイミングにおいては、送り方向に対してシーン内インデックス画像１つ分のスクロール表示を行うようにされる。これにより、図６（ｂ）に示すようにして、インデックス画像貼付領域Ｆ１〜Ｆ９には、静止画像によるシーン内インデックス画像Ｐ１０２〜Ｐ１１０がそれぞれ新たに移動して配置されることになる。また、これとともに、インデックス画像貼付領域Ｆ１０には、シーン内インデックス画像Ｐ１１０に対してシーンの再生時間的に１つ後となるシーン内インデックス画像Ｐ１１１が新たに配置表示される。そして、このシーン内インデックス画像Ｐ１１１については、対応するシーン内分割区間の再生動画像を表示させる。なお、このシーン内分割区間の動画再生も、その開始位置から再生時間Ｔｐを経過した時点までの区間を再生するようにされる。
また、例えばシーン内インデックス画像Ｐ１１１としての動画再生が終了したとされると、上記と同様にして、インデックス画像貼付領域Ｆ１〜Ｆ９において、静止画とされるシーン内インデックス画像の送り方向へのスクロールが行われるとともに、インデックス画像貼付領域Ｆ１０には、シーン内インデックス画像Ｐ１１２として、対応するシーン内分割区間の動画再生が行われることになる。
このようにして、最後のインデックス画像貼付領域Ｆ１０にてシーン内インデックス画像が動画再生される状態に至った場合には、以降においては、再生時間Ｔｐ分の動画再生が終了するごとに、送り方向へのシーン内インデックス画像（静止画）のスクロールを行いながら、インデックス画像貼付領域Ｆ１０にて、新たに配置させた次のシーン内分割区間に対応するシーン内インデックス画像を動画像として表示させるようにする。つまり、動画再生については、最後のインデックス画像貼付領域Ｆ１０において、順次、シーン内分割区間の画像が表示されていくことになる。
そして、例えば選択シーンを形成する最後のシーン内分割区間に対応するインデックス動画像の表示が終了したとされると、このインデックス動画像を静止画像に切り換える。これにより、シーン内インデックス画像の動画再生シーケンスは終了するが、以降においては、例えば、各シーン内インデックス画像が静止画となっている状態により、これまでのフィルムロールインデックス画面の表示を継続させるようにする。
なお、シーン内インデックス画像の動画再生シーケンスを一巡して終了させた後のフィルムロールインデックス画面（シーン内インデックス領域ＡＲ２）についての表示態様は、上記のほかにもいくつか考えることができる。例えば、もう一度、初期表示と同じシーン内インデックス領域ＡＲ２の表示内容に戻して、再度、先頭のシーン内インデックス画像（Ｐ１０１）からの動画再生を繰り返すようにすることが考えられる。また、他のシーンを選択シーンとするシーン内インデックス画像の動画再生シーケンスに移行させることも考えられる。このときに、どのシーンを次の選択シーンとするのかは、シーン単位に対して設定された再生順などの順序に応じて決定することとすればよい。このシーン単位の順序は、本実施の形態のフィルムロールインデックス画面上では、例えばシーン単位インデックス領域におけるシーン単位インデックス画像の表示順に反映されているものとされる。
また、例えばこれまでに説明したシーン内インデックス画像の動画再生が実行中とされているときに、任意のシーン内インデックス画像を選択決定する操作を行ったとすれば、この選択決定されたシーン内インデックス画像が対応するシーン内分割区間の先頭からの選択シーンについての動画再生が、図２（ｄ）に示したシーン再生画面に切り換わった状態で行われることとなる。
【００５１】
なお、図６のようにして、インデックス動画像の再生終了に応じて１シーン内インデックス画像ごとにスクロールさせる代わりに、例えば、図５（ｂ）に示したインデックス画像貼付領域Ｆ１０におけるシーン内インデックス画像Ｐ１１０の動画再生が終了して次のタイミングにおいては、次に動画再生すべきシーン内インデックス画像Ｐ１１１がインデックス画像貼付領域Ｆ１に配置されて、時系列的に続く以降のシーン内インデックス画像Ｐ１１２〜１２０がインデックス画像貼付領域Ｆ２〜Ｆ１０に配置させ、この状態から、図５（ａ）（ｂ）と同様にしてインデックス動画の再生を順次行っていくようにする表示態様とすることも考えられる。
【００５２】
これまでに説明したシーン内インデックス画像の動画再生を含むフィルムロールインデックス画面の表示を実現するための表示用画像データは、例えば図８（ａ）に示すグラフィクスプレーン、図８（ｂ）に示す静止画インデックスプレーン、及び図８（ｃ）に示す動画インデックスプレーンとしてのプレーン画像データをそれぞれ生成し、これらのプレーン画像データを合成して１つの画像データとすることで生成することができる。なお、この図８に示す画内容は、先に図５（ａ）に示したシーン内インデックス領域ＡＲ２の画像内容に対応したものとなっている。図８において、図３及び図５（ａ）と同一とされる部分については同一符号を付している。
【００５３】
図８（ａ）のグラフィクスプレーンは、この場合には、シーン内インデックス画像以外であって、各種ボタン（クローズボタンＢｔ２、関連機能ボタンＢｔ３、送りボタンＢｔ３１、戻しボタンＢｔ３２、送りボタンＢｔ４１、戻しボタンＢｔ４２）、スクロールバー（Ｂｒ１、Ｂｒ２）、シーン単位インデックス画像の表示領域を示す枠であるとか、シーン内インデック領域ＡＲ２の行領域clm1、clm2、clm3を示す枠などをはじめとする、フィルムロールインデックス画面を形成するのに必要な画像部分を描画して得られるプレーン画像である。
図８（ｂ）の静止画インデックスプレーンは、インデックス画像貼付領域Ｆ１〜Ｆ１０に貼付表示するべきシーン内インデックス画像のうちで、静止画として表示すべきシーン内インデックス画像を描画して形成されるプレーン画像である。図８のプレーン画像内容は、上記しているように、図５（ａ）に対応している。このために、図８（ｂ）の静止画インデックスプレーンは、シーン単位インデックス領域ＡＲ１に配置した静止画としてのシーン単位インデックス画像Ｐ１、Ｐ２、Ｐ３と、インデックス画像貼付領域Ｆ２〜Ｆ１０の位置に配置した静止画としてのシーン内インデックス画像Ｐ１０２〜Ｐ１１０を描画することにより形成されているものである。
図８（ｃ）の動画インデックスプレーンは、インデックス画像貼付領域Ｆ１〜Ｆ１０に貼付表示するべきシーン内インデックス画像のうちで、動画として表示すべきシーン内インデックス画像を描画して形成されるプレーン画像である。ここでは、図５（ａ）との対応により、インデックス画像貼付領域Ｆ１の位置に配置した動画としてのシーン内インデックス画像Ｐ１０１を描画して、動画インデックスプレーンが形成されている状態を示している。
そして、これらの図８（ａ）（ｂ）（ｃ）に示したプレーン画像のデータを合成して１つの表示用画像データとして形成すれば、図５（ａ）に示す内容のフィルムロールインデックス画面としての画内容が得られることになる。
【００５４】
また、ここで、本実施の形態のフィルムロールインデックス画面における関連機能ボタンＢｔ３を操作した場合についての説明をしておくこととする。
先にも述べたようにして、関連機能ボタンＢｔ３は、そのときに表示されている操作画面などに対応・関連した他の機能操作などのための画面（例えばメニュー画面など）に即座に移行するために用意されるものであり、どのような画面に移行するのかは、上記操作画面の内容に応じて異なってくる。
そして、フィルムロールインデックス画面において配置される関連機能ボタンＢｔ３に対するタッチパネル押操作を行った場合には、例えば図９（ａ）から図９（ｂ）への遷移として示すようにして、表示画面部２０Ａは、フィルムロールインデックス画面対応の関連メニュー画面に移行するようにされる。
【００５５】
この図９（ｂ）に示される関連メニュー画面においては、ＨＤ／ＳＤ切替用ボタンＢｔ５１、抽出時間間隔設定用ボタンＢｔ５２、インデックス動画再生時間設定用ボタンＢｔ５３と、戻るボタンＢｔ１４が配置表示されている。なお、戻るボタンＢｔ１４を操作すれば、この関連メニュー画面が表示される前の状態である、図９（ａ）のフィルムロールインデックス画面に移行する。
【００５６】
ＨＤ／ＳＤ切替用ボタンＢｔ５１は、本実施の形態のビデオカメラ装置１により記録再生するビデオ信号形式を、ＨＤ(High Definition)とＳＤ(Standard Definition)との間で切り換えるための操作画面に移行させるためのものとされる。
【００５７】
また、抽出時間間隔設定用ボタンＢｔ５２に対するタッチパネル押操作を行った場合には、ここでは図示していないが、抽出時間間隔設定画面に移行する。この抽出時間間隔設定画面が表示された状態では、ユーザは、抽出時間間隔設定画面に対する所定操作に（タッチパネル押操作）よって、図４にて説明した抽出時間間隔Ｔｍについての変更設定を行うことができるようになっている。
【００５８】
また、インデックス動画再生時間設定用ボタンＢｔ５３に対するタッチパネル押操作を行った場合には、図９（ｃ）に示すインデックス動画再生時間設定画面に移行することになる。このインデックス動画再生時間設定画面に対する操作により、図４（ｃ）に示した再生時間Ｔｐ、つまり、シーン内インデックス画像ごとについてのシーン内分割区間の動画再生時間を変更設定することができる。
このインデックス動画再生時間設定画面には、図１０に示すようにして、プラスボタンＢｔ６１、マイナスボタンＢｔ６２、及び設定時間表示ウィンドウｗｄ１が配置表示されている。ユーザは、プラスボタンＢｔ６１、マイナスボタンＢｔ６２を適宜操作して、設定時間表示ウィンドウｗｄ１内に表示されている再生時間Ｔｐを示す数値を増減させ、自身が望む再生時間Ｔｐとしての時間長を設定するようにされる。再生時間Ｔｐについて短めに設定すれば、動画再生されるシーン内インデックス画像は、速いタイミングで切り換わっていくようになるので、例えば短い時間で、シーン全体の内容を把握することが可能になる。一方、再生時間Ｔｐを長めに設定すれば、個々のシーン内分割区間の内容をより長い時間にわたって見ることができることになるので、シーンの内容をよりじっくりと確認したいような場合に有利となる。また、実施の形態としては、このようにして再生時間Ｔｐについてユーザによる変更設定が可能であるとしているが、例えば、一般的に最適であろうと推定される再生時間Ｔｐを固定的に設定することとしてもよいものである。
【００５９】
また、時間間隔設定画面内の戻るボタンＢｔ１４に対するタッチパネル押操作を行った場合には、図５（ｃ）から図５（ａ）への遷移として示すように、フィルムロールインデックス画面に移行するようにされている。つまり、この場合には、時間間隔設定画面が関連メニュー画面の階層化のメニュー画面であることにより、関連メニュー画面の表示前の状態に戻ることとしている。
【００６０】
続いては、これまでに説明したシーン内インデックス画像の動画再生シーケンスを含む、フィルムロールインデックス画面の表示を実現するための技術構成例について説明を行っていくこととする。
【００６１】
フィルムロールインデックス画面に表示されるシーン単位インデックス画像若しくはシーン内インデックス画像は、ＨＤＤ１６に記憶管理されているシーン単位相当のビデオコンテンツのデータを基として生成されるものとなる。
そこで、先ず、本実施の形態のビデオカメラ装置１による、ＨＤＤ１６に記憶されるビデオコンテンツについての管理態様例についての説明を、図１１を参照して行っておくこととする。
図１１においては、ＨＤＤ１６の記憶内容例を模式的に示している。この場合、ＨＤＤ１６には、シーン単位に対応する単位動画データ（動画ファイル）である、ｎ個のビデオコンテンツ１〜ｎが記憶されているものとしている。通常は、１シーンが１つの動画ファイルに対応するが、１シーンの時間が一定以上になると、そのシーンは、ファイルシステム上では、複数の動画ファイルに分割して管理されることになる。ファイルシステムより上のビデオコンテンツ管理のためのアプリケーションにより、これらの分割された動画ファイルを１つのシーンとして扱うようにされる。そして、このビデオコンテンツのデータとともに、ビデオコンテンツ管理ファイルもＨＤＤ１６に記憶させることとしている。
【００６２】
１動画ファイルに対応するビデオコンテンツのデータ（ビデオコンテンツデータ）の構造例を図１２に示す。
図１２（ａ）には、ビデオコンテンツデータを、時系列に従ったデータ書込単位のシーケンスにより示している。例えばビデオカメラ装置１は、記録メディアであるＨＤＤ１６に対して、ビデオコンテンツのデータを書き込んで記録するのにあたり、記録再生処理回路１５にて、ビデオコンテンツの記録用データを生成して、これを一時的にバッファに蓄積していくようにされる。そして、このバッファに蓄積された或るまとまったサイズの記録用データの集合を、所定のタイミングで以て、一度に読み出してＨＤＤ１６に書き込むようにされる。ここでのデータ書込単位は、このバッファに蓄積されて一度に書き込まれるデータが対応するものであり、ここでは、データ書込単位はほぼ一定であるものとされる。
【００６３】
このデータ書込単位は、この場合には、図１２（ｂ）に示すようにして、ＧＯＰ(Group Of Picture)のシーケンスにより成るものとされる。ＧＯＰは、周知のようにして、画像圧縮符号化処理により得られる１つの再生単位(圧縮・伸長処理単位)であり、これ自体で、独立して復調処理を行って、或る時間分の動画を正常に再生することができる。また、これも周知のようにして、ＧＯＰ内には、少なくとも１つのＩ(Intra)ピクチャを含むようにされている。確認のために、Ｉピクチャは、他のＰ(Predictive)ピクチャ、Ｂ(Bi-directional Predictive)ピクチャなどのようにして、予測符号化により生成された画像ではなく、１つの独立したフレーム画像から生成される画像データである。
そして、この場合のＧＯＰ内の構造としては、図９（ｃ）に示すようにして、或る所定単位により分割されたビデオ(Video)データ、オーディオ(Audio)データから成るものとされる。
【００６４】
また、図１１において示されるビデオコンテンツ管理ファイルは、同じＨＤＤ１６に記憶されるビデオコンテンツの再生（ここでは通常再生、早送り、早戻しなどをはじめとする変則再生、また、プレイリスト再生などを総括して「再生」といっている）を管理するために必要なファイルであり、例えばその内容としては、図示するようにして、ＨＤＤ１６に記憶されるビデオコンテンツ１〜ｎのそれぞれに対応した管理情報部１〜ｎを有して形成されている。例えばビデオコンテンツ１についての再生管理を行うときには、ビデオコンテンツ管理ファイルにおける管理情報部１を利用することになる。
なお、実際において、このビデオコンテンツ管理ファイルのようにして、ビデオコンテンツ管理用のファイルを、ビデオコンテンツのファイルとは個別に持つようにされた規格・フォーマットとしては、ＡＶＣＨＤなどを挙げることができる。また、ＨＤＤではないが、ＤＶＤ−Ｖｉｄｅｏ、ＤＶＤ＋ＶＲ、ＤＶＤ−ＶＲに対して、標準信号形式（ＳＤ形式）により記録するような場合にも、このようなビデオコンテンツ管理用のファイルを記録することが行われている。
【００６５】
図１３及び図１４のフローチャートは、本実施の形態のビデオカメラ装置１が実行するものとされる、フィルムロールインデックス画面内のシーン内インデックス領域ＡＲ２についての表示制御に関する処理手順例を示している。
先に述べたようにして、シーン内インデックス領域ＡＲ２におけるシーン内インデックス画像の表示は、静止画像の表示を基本とする。そのうえで、図５、図６により説明した動画再生シーケンスが行われるようにしているものと考えることができる。
そこで、先ず図１３のフローチャートにより、基本的なシーン内インデックス領域ＡＲ２としての画像内容を形成する処理手順について説明を行う。これは、静止画としてのシーン内インデックス画像を抽出してインデックス画像貼付領域Ｆ１〜Ｆ１０に貼り付けていく手順となる。次に、図１４のフローチャートにより、上記図１３の手順により形成されたシーン内インデックス領域ＡＲ２に対して、シーン内インデックス画像の動画再生シーケンスを与えることのできる表示制御の手順例について説明する。
ここでは、フィルムロールインデックス画面の表示開始時においては、先ず、図１３のフローチャートに示す手順により、全て静止画のシーン内インデックス画像が表示されたシーン内インデックス領域ＡＲ２を形成し、この後直ちに、図１４に示す動画再生シーケンスの手順に移行するものであると考えることとする。例えば実際においてこの手順に従って表示制御が行われたとしても、シーン内インデックス画像が全て静止画として表示される時間はユーザにとっては一瞬であることになるので、フィルムロールインデックス画面の表示開始とともに、例えばインデックス画像貼付領域Ｆ１のシーン内インデックス画像が動画として再生されているように見えるものである。
また、上記の説明によると、図１３の処理手順は、静止画インデックスプレーンを生成するための処理であるとみることができ、図１４の処理手順は、動画再生シーケンスの進行に応じて、静止画インデックスプレーンと動画インデックスプレーンを生成していくための処理であると見ることができる。
また、これら図１３、図１４に示す処理は、マイクロプロセッサ１７において、例えばＣＰＵが、ＲＯＭ或いは不揮発性メモリなどに記憶されるプログラムを実行することで実現されるものとしてみることができる。また、このプログラムは、上記のようにして、例えばＲＯＭなどに対して製造時などに書き込んで記憶させるほか、リムーバブルの記憶媒体に記憶させておいたうえで、この記憶媒体からインストール(アップデートも含む)させるようにしてマイクロプロセッサ１７内の不揮発性の記憶領域に記憶させることが考えられる。また、ＵＳＢやＩＥＥＥ１３９４などのデータインターフェイス経由により、他のホストとなる機器からの制御によってプログラムのインストールを行えるようにすることも考えられる。さらに、ネットワーク上のサーバなどにおける記憶装置に記憶させておいたうえで、ビデオカメラ装置１にネットワーク機能を持たせることとし、サーバからダウンロードして取得できるように構成することも考えられる。
【００６６】
例えば、他の画面からフィルムロールインデックス画面に表示を移行させる操作、若しくは、フィルムロールインデックス画面が表示されている状態の下で、シーン単位インデックス領域ＡＲ１における選択シーンを変更する操作が行われて、シーン内インデックス領域ＡＲ２の表示内容を、選択シーンの変更に応じて変更すべきこととなったとされると、マイクロプロセッサ１７は、図１３のステップＳ１０１から始まる処理手順を実行するようにされる。
先ず、ステップＳ１０１においては、ＨＤＤ１６に記憶されているビデオコンテンツ管理ファイルから、現在の選択シーンに対応するビデオコンテンツに対応する管理情報部を読み込んで取得するようにされる。
【００６７】
ここで、ビデオコンテンツ管理ファイルの管理情報部は、対応するビデオコンテンツに関しての各種の管理情報項目を備えて成るものとされるが、これらの管理情報項目のうちで、この図１０に示される処理が利用するものとしては、以降の説明からも理解されるように、ＧＯＰ単位のデータサイズを示すサイズ情報や、ビデオデータ(ストリーム)についての再生時間情報などとなる。
また、以降においては、上記ステップＳ１０１により読み込んで取得した管理情報については、「取得管理情報部」ということにする。
【００６８】
続くステップＳ１０２においては、先ず、現在の選択シーンにおけるシーン先頭の画像内容を有するサムネイル画像データを取得してサムネイル画像化し、これを、静止画インデックスプレーン上において、時系列に従っての配列順において最初となるインデックス画像貼付領域Ｆ１に対応する位置に貼り付けるようにされる。このようにして貼り付けられた画像は、図３、図４などとの対応では、先ず、シーン先頭の画内容を示すものとされるシーン内インデックス画像Ｐ１０１に相当する。
なお、このシーン先頭のシーン内インデックス画像としてのサムネイル画像を得るのにあたっては、本実施の形態においては、シーン単位インデックス領域ＡＲ１において表示されている、選択シーンのシーン単位インデックス画像Ｐ２の基となるサムネイル画像データを流用すればよい。本実施の形態のビデオカメラ装置１においては、シーン単位インデックス画像は、シーン先頭の画内容をサムネイル画像化したものであるとしているからである。このようにして、先頭のシーン内インデックス画像のサムネイル画像データを取得することとすれば、例えばＨＤＤのビデオコンテンツデータから、直接、対応するＩピクチャにアクセスして読み込みを行う必要が無くなり、その分の処理負担を軽くできる。もちろん、選択シーンに対応するビデオコンテンツの先頭に対応するフレーム画像データ（例えばＩピクチャ）をＨＤＤ１６から読み出して、この画像データを基にして生成することとしてもよい。この場合には、例えば、ＨＤＤ１６に記憶されているビデオコンテンツの先頭の画像データ位置は、ステップＳ１０１により読み込んで取得した取得管理情報部の内容を参照することにより認識できるものとされる。
【００６９】
ステップＳ１０３においては、このときに設定されている抽出時間間隔Ｔｍに応じて、単位オフセット値(ut_offset)を決定する。この単位オフセット値（ut_offset）は、後述する説明から理解されるように、シーン内インデックス画像の元となるＩピクチャを探索するのに利用する値とされる。例えば、この単位オフセット値（ut_offset）についても時間値として表されるものであるとすれば、単位オフセット値は、抽出時間間隔Ｔｍが示す時間長と一致する値を示すこととなる。
【００７０】
また、ステップＳ１０４においては、変数ｎについて、初期値として2を代入（設定）する。この変数ｎは、シーン内インデックス画像として抽出したサムネイル画像データを貼り付けるためのインデックス画像貼付領域を示す。つまり、第１〜第１０インデックス画像貼付領域Ｆ１〜Ｆ１０のうちから何れか１つが、変数ｎにより特定される。変数ｎ＝２であれば、第２インデックス画像貼付領域Ｆ２を示すことになる。ここで、変数ｎの初期値を２としているのは、既にステップＳ１０２により、変数ｎ＝１の場合に対応する第１インデックス画像貼付領域Ｆ１に対するサムネイル画像データの貼り付けが完了しているからである。
ステップＳ１０５においては、絶対オフセット値(absl_offset)について、初期値として０を設定するようにされる。絶対オフセット値(absl_offset)は、選択シーンに対応するビデオコンテンツの再生開始時間（時刻）を起点とする再生時間のオフセット値を指す。absl_offset=0は、ビデオコンテンツの再生開始時間を示していることになる。
【００７１】
上記の初期設定を行ったうえで、ステップＳ１０６以降により実行される手順が、第２インデックス画像貼付領域Ｆ２〜Ｆ１０に対応するシーン内インデックス画像を抽出し、そのサムネイル画像データを貼り付けるための手順となる。
先ず、ステップＳ１０６においては、絶対オフセット値(absl_offset)を更新設定する。この絶対オフセット値(absl_offset)の更新値は、
absl_offset←absl_offset＋ut_offset・・・(式１)
により表される演算により求められる。つまり、これまでに設定されていた絶対オフセット値(absl_offset)に対して、先のステップＳ１０３にて取得した単位オフセット値(ut_offset)を加算することにより得るようにされる。
【００７２】
ステップＳ１０７においては、取得管理情報部を参照することにより、上記ステップＳ１０６により更新した絶対オフセット値(absl_offset)により示されるビデオコンテンツの再生時間の前後において最も近い時間位置に在るとされるＩピクチャを探索するようにされる。このときの探索結果であるＩピクチャの位置としては、例えばビデオコンテンツにおける再生時間により表現される。また、このステップＳ１０７にて探索されたＩピクチャは、静止画によるシーン単位インデックス画像として、静止画インデックスプレーン上での第ｎインデックス画像貼付領域Ｆｎに対応した位置に貼付表示されるべきサムネイル画像データの基となるものである。
【００７３】
そして、ステップＳ１０８においては、ＨＤＤ１６に記録されている選択シーンのビデオコンテンツのストリームデータにおける、上記ステップＳ１０７により探索したＩピクチャの再生時間位置に対応するデータ位置にアクセスする。これにより、探索したＩピクチャの実データへのアクセスが行われたこととなる。そして、このアクセスしたＩピクチャのデータを読み出して取得するようにされる。
【００７４】
ステップＳ１０９においては、上記ステップＳ１０８により取得したＩピクチャのデータから、シーン内インデックス画像としての表示サイズに適合した画サイズによるサムネイル画像データを生成する、そして、ステップＳ１１０により、上記ステップＳ１０９により生成したサムネイル画像データを、静止画インデックスプレーン上における第ｎインデックス画像貼付領域Ｆｎに対応する位置に貼り付けるようにされる。
【００７５】
ステップＳ１１１では、変数ｎについて、最大値に至ったか否かについて判別する。図３の表示態様の場合には、変数ｎの最大値は１０となる。ここで先ず、肯定の判別結果が得られた場合には、全てのインデックス画像貼付領域に対してサムネイル画像データを貼り付けられた状態であることになる。そこでこの場合には、第２インデックス画像貼付領域Ｆ２以降のインデックス画像貼付領域にシーン内インデックス画像を貼り付けていくためのループ処理であるステップＳ１０６〜Ｓ１１３までの処理手順を抜け、この図に示す処理は終了するようにされる。
一方、ステップＳ１１１にて否定の判別結果が得られた場合には、ステップＳ１１２に進む。
【００７６】
ステップＳ１１２においては、最後のステップＳ１１０により貼り付けられたサムネイル画像データが、選択シーンにおいて時系列的に最後のシーン内分割区間に対応するシーン内インデックス画像のためのものであったか否かについて判別する。
ステップＳ１１２にて否定の判別結果が得られた場合には、未だ、サムネイル画像データが貼り付けられていないインデックス画像貼付領域が残っているということになる。そこで、この場合には、ステップＳ１１３により変数ｎについてインクリメントを行ったうえで、ステップＳ１０６に戻るようにされる。
【００７７】
一方、ステップＳ１１２にて肯定の判別結果が得られた場合には、サムネイル画像データが貼り付けられていないインデックス画像貼付領域は存在しない、ということになる。そこで、この場合にも、ステップＳ１１１にて肯定の判別結果が得られた場合と同様に、この図に示す処理を終了する。
【００７８】
続いては、図１４について説明する。図１４には、先にも述べたように、例えば上記図１３によるフィルムロールインデックス画面の表示が完了した直後から実行されるものとする、シーン内インデックス画像についての動画再生のための制御手順が示される。
【００７９】
図１４においては、先ずステップＳ２０１により、図１３の場合と同様にインデックス画像貼付領域を示す変数ｎについて、初期値として１を設定しておくようにされる。
【００８０】
続くステップＳ２０２においては、現在の第ｎインデックス画像貼付領域Ｆｎに貼付表示されている静止画のシーン内インデックス画像（インデックス静止画像）についての、本来の生成元であるＩピクチャにアクセスするための制御を実行する。確認のために述べておくと、このＩピクチャは、選択シーンに対応するものとしてＨＤＤ１６に記憶されているビデオコンテンツデータのストリーム内において存在するものである。なお、このＩピクチャへのアクセスのためには、例えば、先の図１３におけるステップＳ１０８に対応して実行されたＩピクチャについての探索結果として、そのアドレスを保持しておくこととしたうえで、この保持しているアドレスを参照することとすればよい。また、選択シーンにおいて最初のシーン内インデックス画像（Ｐ１０１）に対応するＩピクチャへのアクセスは、ビデオコンテンツデータにおける先頭のＩピクチャにアクセスすればよいことになる。
【００８１】
続いて、ステップＳ２０３においては、上記ステップＳ２０２によりアクセスしたＩピクチャの画像からの動画再生処理を開始させるようにする。また、このときには、ビデオコンテンツデータが本来有する解像度により再生するのではなく、インデックス画像貼付領域に対応したサムネイル画像（シーン内インデックス画像）のサイズ、解像度による再生処理を行うようにされる。そして、このようにして再生を開始した動画像を、動画インデックスプレーン上において、現在の第ｎインデックス画像貼付領域Ｆｎに対応する位置に貼り付けるようにされる。また、これとともに、静止画インデックスプレーン上においては、第ｎインデックス画像貼付領域Ｆｎに対応する位置には何も貼り付けないようにする。これにより、図５、図６にて説明したようにして、シーン内インデックス画像のうち、１つのシーン内インデックス画像が動画として表示され、残るシーン内インデックス画像が静止画として表示される態様が得られることになる。
【００８２】
ステップＳ２０５においては、ステップＳ２０３により開始させた動画再生について、予め設定した再生時間Ｔｐが経過するのを待機し、再生時間Ｔｐを経過したタイミングで、ステップＳ２０６以降の手順に移行するようにされる。
【００８３】
ステップＳ２０６においては、先ず、ステップＳ２０３から開始させた動画再生を終了させる。これとともに、一旦、動画インデックスプレーン上に配置された動画像のサムネイル画像データも消去されることになる。また、このステップＳ２０６とともに、ステップＳ２０７により、静止画インデックスプレーン上の、第ｎインデックス画像貼付領域Ｆｎに対応する位置に対して、静止画のシーン内インデックス画像を再び貼り付けるようにされる。
【００８４】
ステップＳ２０８においては、今回のステップＳ２０３〜Ｓ２０６による動画像の再生が、選択シーンにおける最終のシーン内分割区間についてのものであったか否かについての判別を行うようにされる。
ここで肯定の判別結果が得られた場合には、これまでの処理により、選択シーンにおける全てのシーン内インデックス画像についての動画再生を完了したことになるので、この図に示す処理は抜けるようにされる。これに対して、否定の判別結果が得られた場合には、ステップＳ２０９に進む。
【００８５】
ステップＳ２０９においては、現在設定されている変数ｎについて、これが最大値を示しているか否かについて判別し、未だ最大値には至っていないとして否定の判別結果を得たのであれば、ステップＳ２１０により、変数ｎについてインクリメントを行ったうえで、ステップＳ２０２の手順に戻る。このようにして、ステップＳ２０２に戻ることによっては、例えば図５（ａ）から図５（ｂ）への遷移として例示したように、動画像としてのシーン内インデックス画像の表示は、時系列的に次となるインデックス画像貼付領域に切り換わることとなる。
【００８６】
これに対して、ステップＳ２０９において、変数ｎは最大値に至っているとして肯定の判別結果が得られた場合には、現在の状態は、例えば図６（ａ）に示したように、時系列的に最後のインデックス画像貼付領域（第１０インデックス画像貼付領域Ｆ１０）において動画像を再生し、この再生が終了した段階に至ったことになる。そこで、この場合には、ステップＳ２１１により、静止画インデックスプレーンに配置すべきシーン内インデックス画像について、送り方向に１つ分のスクロールが行われるようにして、表示制御を実行するようにされる。これにより、時系列的に最後となるインデックス画像貼付領域（第１０インデックス画像貼付領域Ｆ１０）に対しては、これまで貼り付けられていたシーン内インデックス画像に対して次となるシーン内インデックス画像のサムネイル画像データ（静止画）が新たに貼り付けられることになる。このスクロール表示にあたっては、例えば、静止画インデックスプレーンについて、これまでインデックス画像貼付領域Ｆ２〜Ｆ１０に対応する位置に配置させていたサムネイル画像データを、それぞれ、インデックス画像貼付領域Ｆ１〜Ｆ９に配置させる。また、これとともに、新たにインデックス画像貼付領域Ｆ１０に配置させるべきシーン内インデックス画像としてのサムネイル画像データを生成して、静止画インデックスプレーン上のインデックス画像貼付領域Ｆ１０の位置に対して貼り付けるようにされる。なお、インデックス画像貼付領域Ｆ１０に配置させるべきシーン内インデックス画像のサムネイル画像データを生成するのにあたっては、例えば先ずは、その元となるＩピクチャについてのＨＤＤ１６上での記録位置を求めて、この記録位置にアクセスして読み込みを行うようにされる。このＩピクチャの記録位置は、例えば、時系列的に直前のインデックス画像貼付領域Ｆ１０に配置されるサムネイル画像データの元となるＩピクチャの絶対オフセット値(absl_offset)に単位オフセット値（ut_offset）を加算して、絶対オフセット値を更新することで求めることができる。
そして、上記ステップＳ２１１の処理を完了して後にステップＳ２０２に戻ることにより、直ぐに、この静止画のサムネイル画像データは、動画像に切り換えられるようにされる。
このようにして、ステップＳ２１１によりスクロールを行ってからステップＳ２０２に戻る、あるいはステップＳ２１０により変数ｎについてのインクリメントを行ってからステップＳ２０２に戻るようにされることで、次に動画とすべき代表画像の変更が、順次行われていくことになるものである。
【００８７】
なお、ビデオコンテンツデータについての記憶管理の態様、及びビデオコンテンツデータの形式、構造は、図１２により説明したもの以外にも各種考えられるものであり、これに伴って、例えば図１２及び図１３におけるフィルムロールインデックス画面の表示制御のための処理手順における、Ｉピクチャへのアクセス制御であるとか、図１３における動画再生制御などに関する処理の実際などは、適宜変更されるべきものである。
【００８８】
また、本願発明にあっては、先ず、シーン内インデックス領域ＡＲ２において、所定の抽出時間間隔によりビデオコンテンツのストリームから抜き出したものとされるシーン内インデックス画像が配列表示される態様を採る限り、フィルムロールインデックス画面における表示態様等の変更は適宜行われてよいものとされる。また、上記実施の形態にあっては、設定された抽出時間間隔Ｔｍにより表される等間隔で以て、シーン内インデックス画像を抜き出すこととしているのであるが、所定の条件に従って、この抽出時間間隔が可変されるようにしても構わない。
【００８９】
また、本願発明にあっては、インデックス画像（サムネイル画像）を配列させた状態の下で、予め定めた所定の順序により、動画として表示させるインデックス画像を順次変更していくようにされた表示態様が採られる限り、インデックス画像が代表するものとされる動画データ単位については特に限定されない。実施の形態では、この動画データ単位は、１シーンを分割して得られるシーン内分割区間であることとされているが、例えばシーン単位であってもよい。また、これに伴って、動画として表示させるインデックス画像を変更していく順序についての決定規則も適宜変更されて構わない。
また、実施の形態においては、シーンの時系列に従った配列順によりインデックス画像を配列するとともに、動画表示させるインデックス画像の順序も、対応するシーン内分割区間（単位動画データ）の時系列順に従うべきものとしていることで、動画表示の変更順もインデックス画像の配列順に従ったものとなっている。しかし、先ず、動画表示の変更順の規則（順序規則）に関しては、例えば上記の時系列を基準とするものに限定されることなく、例えば、単位動画データごとのビットレートなどをはじめとして他にも考えることができる。さらに、動画表示についての順序規則と、インデックス画像（代表画像）の配列順を設定する順序規則との関係によっては、動画表示の変更順がインデックス画像の配列順と異なるものとなっても構わないものである。
また、本願発明は、動画として表示されるインデックス画像を変更していくという、インデックス動画のシーケンス再生が自動的に行われることに１つの特徴を有しており、実施の形態においては、このようなインデックス動画のシーケンス再生は、フィルムロールインデックス画面の表示開始と共に自動的に開始されるものとしている。しかし、例えば、このフィルムロールインデックス画面の初期表示は、全てインデックス静止画による表示として、インデックス動画のシーケンス再生については、ユーザ操作に応じて開始（及び停止）できるように構成することも考えられる。
【００９０】
また、実施の形態では、本願発明の構成をビデオカメラ装置に適用しているが、これ以外にも、例えば動画撮影機能を有するようにされたデジタルスチルカメラ、携帯電話などをはじめ、他の電子機器に対しても適用が可能である。
【図面の簡単な説明】
【００９１】
【図１】本発明の実施の形態としてのビデオカメラ装置の構成例を示すブロック図である。
【図２】本実施の形態のビデオカメラ装置における一覧・検索画面の表示に関連した操作に応じて表示画面部に表示される画像の内容例を示す図である。
【図３】実施の形態に対応するフィルムロールインデックス画面の表示内容例を示す図である。
【図４】シーン内インデックス画像についての抽出時間間隔の設定例、及びインデックス動画の再生シーケンスの設定例を説明するための図である。
【図５】実施の形態におけるインデックス動画の再生についての態様例を示す図である。
【図６】実施の形態におけるインデックス動画の再生についての態様例を示す図である。
【図７】シーン内インデックス画像についての送り方向へのスクロールに対応する表示内容の遷移状態を模式的に示す図である。
【図８】インデックス動画が表示されるフィルムロールインデックス画面の表示用画像データの生成例（表示制御例）を模式的に示す図である。
【図９】フィルムロールインデックス画面を基点とする、関連メニュー画面、インデックス動画再生時間設定画面との間での遷移例を示す図である。
【図１０】インデックス動画再生時間設定画面の表示態様例を示す図である。
【図１１】実施の形態におけるビデオコンテンツの管理態様例を説明するための図である。
【図１２】実施の形態におけるビデオコンテンツの構造例を説明するための図である。
【図１３】シーン内インデックス領域についての初期表示のための処理手順例を示すフローチャートである。
【図１４】シーン内インデックス領域におけるインデックス動画表示のための処理手順例を示すフローチャートである。
【符号の説明】
【００９２】
１  ビデオカメラ装置、１１  光学系部、１２  撮像部、１３  カメラ制御部、１４  カメラ信号処理部、１５  記録再生処理回路、１６  ＨＤＤ、１７  マイクロプロセッサ、１８  ＯＳＤ処理部、１９  重畳処理部、２０  表示部、２０Ａ  表示画面部、２１  ハードウェア操作部、２１Ａ  タッチパネル部、２１ａ  ホームキー、２１ｂ  フィルムロールキー、ＡＲ１  シーン単位インデックス領域、ＡＲ２  シーン内インデックス領域、Ｆ１〜Ｆ１０  インデックス画像貼付領域、Ｐ１０１〜Ｐ１１１  シーン内インデックス画像
【図１】
0004935551.tif 000002
【図２】
0004935551.tif 000003
【図３】
0004935551.tif 000004
【図４】
0004935551.tif 000005
【図５】
0004935551.tif 000006
【図６】
0004935551.tif 000007
【図７】
0004935551.tif 000008
【図８】
0004935551.tif 000009
【図９】
0004935551.tif 000010
【図１０】
0004935551.tif 000011
【図１１】
0004935551.tif 000012
【図１２】
0004935551.tif 000013
【図１３】
0004935551.tif 000014
【図１４】
0004935551.tif 000015